(57)【要約】フロアカバーの製造方法であって、２つの群の糸を提供し、これらの群の糸を、第２の群の糸が横糸方向にあり、フロアカバーの視覚可能な部分の少なくとも実質的な部分を形成するように機械織りする段階を含む、前記方法。フロアカバーは、好適な縦糸および、該縦糸に垂直な方向で織られている好適な横糸の群を含み、ここで、横糸は、フロアカバーの視覚可能な部分の少なくとも実質的な部分を形成する。フロアカバーの製造方法であって、第１のおよび第２のフロアカバー部分の耳端部を切断して、対応する群の上方および下方耳部分を形成し、それぞれの下方の部分を除去し、対応する上方の耳部分を、手縫いにより接合する段階を含む、前記方法。
2006518423.tif 000002
【特許請求の範囲】
【請求項１】
フロアカバーの製造方法であって：
第１の群の糸を提供すること；
第２の群の糸を提供すること；および
第１の群の糸を縦糸方向に、第２の群の糸を横糸方向に機械織りすることを含み、
第２の群の糸は、フロアカバーの視覚可能な部分の少なくとも実質的な部分を形成する、前記方法。
【請求項２】
第２の群の糸が、第１の群の糸により形成したよりも大きいフロアカバーの視覚可能な部分を形成する、請求項１に記載の方法。
【請求項３】
第２の群の糸が、第１の群の糸により形成したよりも実質的に大きいフロアカバーの視覚可能な部分を形成する、請求項１に記載の方法。
【請求項４】
第２の群の糸が、フロアカバーの視覚可能な部分の少なくとも約７５％を形成する、請求項３に記載の方法。
【請求項５】
第２の群の糸が、フロアカバーの実質的にすべての視覚可能な部分を形成する、請求項１に記載の方法。
【請求項６】
第２の群の糸が、フロアカバーの視覚可能な部分の少なくとも約９５％を形成する、請求項５に記載の方法。
【請求項７】
第２の群の糸が、１ポンドあたり約２８８〜約１，７６０ヤードの重量を有する、請求項１に記載の方法。
【請求項８】
第２の群の糸が、１ポンドあたり約５７６〜約８３２ヤードの重量を有する、請求項７に記載の方法。
【請求項９】
第２の群の糸が、フロアカバーの合計重量の約８５％〜約９５％を構成する、請求項１に記載の方法。
【請求項１０】
第２の群の糸が、フロアカバーの合計重量の約９２％を構成する、請求項９に記載の方法。
【請求項１１】
第１の、および第２の群の糸を、１インチあたり約７５〜約１００本の縦糸の密度で織る、請求項１に記載の方法。
【請求項１２】
１インチあたりの縦糸の数が、約８５である、請求項１１に記載の方法。
【請求項１３】
第１の群の糸および第２の群の糸を、１インチあたり約２５〜約６５本の横糸の密度で織る、請求項１に記載の方法。
【請求項１４】
１インチあたりの横糸の数が、約４０〜約５０である、請求項１３に記載の方法。
【請求項１５】
第１の群の糸および第２の群の糸を、１分あたり約７５〜約２５０本の横糸の速度で織る、請求項１に記載の方法。
【請求項１６】
フロアカバーが、１平方ヤードあたり約１．６５ポンド〜１平方ヤードあたり約３．０ポンドの重量を有する、請求項１に記載の方法。
【請求項１７】
フロアカバーが、１平方ヤードあたり約２．２５ポンドの重量を有する、請求項１６に記載の方法。
【請求項１８】
第１の群の糸が、２０／２〜８０／２の綿番手を有する、請求項１に記載の方法。
【請求項１９】
第１の群の糸が、４０／２の綿番手を有する、請求項１８に記載の方法。
【請求項２０】
フロアカバーが、少なくとも１つの縁部を有し、さらに該少なくとも１つの縁部に縁取材を設ける段階を含む、請求項１に記載の方法。
【請求項２１】
フロアカバーが、少なくとも１つの表面を有し、さらに該少なくとも１つの表面に裏材料を設ける段階を含む、請求項１に記載の方法。
【請求項２２】
フロアカバーであって：
フロアカバーにおいて用いるのに適する１つの群の縦糸；および
フロアカバーにおいて用いるのに適する１つの群の横糸を含み、
該横糸は、縦糸に垂直な方向で織られており、該横糸は、フロアカバーの視覚可能な部分の少なくとも実質的な部分を形成する、前記フロアカバー。
【請求項２３】
横糸が、縦糸により形成したよりも大きいフロアカバーの視覚可能な部分を形成する、請求項２２に記載のフロアカバー。
【請求項２４】
横糸が、１ポンドあたり約２８８〜約１，７６０ヤードの重量を有する、請求項２２に記載のフロアカバー。
【請求項２５】
縦糸が、２０／２〜８０／２の綿番手を有する、請求項２２に記載のフロアカバー。
【請求項２６】
糸が、１インチあたり約７５〜約１００本の縦糸の密度で織られている、請求項２２に記載のフロアカバー。
【請求項２７】
フロアカバーが、１平方ヤードあたり約１．６５ポンド〜１平方ヤードあたり約３ポンドの重量を有する、請求項２２に記載のフロアカバー。
【請求項２８】
フロアカバーが、少なくとも１つの縁部を有し、さらに該少なくとも１つの縁部に隣接して位置する縁取材を含む、請求項２２に記載のフロアカバー。
【請求項２９】
フロアカバーが、少なくとも１つの表面を有し、さらに該少なくとも１つの表面に隣接して位置する裏材料を含む、請求項２２に記載のフロアカバー。
【請求項３０】
フロアカバーの製造方法であって：
第１の耳端部を有するフロアカバーの第１の部分であって、横糸の群と共に織られた１つの群の縦糸を含む前記第１の部分を提供すること；
第２の耳端部を有するフロアカバーの第２の部分であって、横糸の群と共に織られた１つの群の縦糸を含む前記第２の部分を提供すること；
第１の耳端部を切断して、第１の最上部の部分および第１の底部の部分を形成すること；
第２の耳端部を切断して、第２の最上部の部分および第２の底部の部分を形成すること；
それぞれの部分の底部の部分を除去すること；および
最上部の部分を、手縫いにより接合することを含む、前記方法。
【請求項３１】
フロアカバーの製造方法であって：
１つの群の縦糸を提供すること；
第１の群の横糸を提供すること；
縦糸および第１の群の横糸を機械織りして、第１のフロアカバーまたはフロアカバー部分を形成すること；
横糸の少なくとも１つを置き換えて、第２の群の横糸を形成すること；および
縦糸および第２の群の横糸を機械織りして、第２のフロアカバーまたはフロアカバー部分を形成することを含む、前記方法。
【発明の詳細な説明】
【技術分野】
【０００１】
発明の分野
本発明は、フロアカバーを織る方法に関する。
【０００２】
発明の背景
慣用の織ったフロアカバー、例えばじゅうたんおよびカーペットは、織機で製造されており、ここで、該フロアカバーにこの色を付与するか、またはこのパターンを形成する糸は、縦糸方向から供給される。数千またはさらに数万の数となり得る縦糸は、一般的に均一な横糸と共に織られて、じゅうたんまたはカーペットを形成する。この方法の主な欠点の１つは、縦糸を変化させることが、数千ものクリールを、通常は手により変化させることを意味し得るため、フロアカバーの色またはパターンを変化させることが、極めて困難であり、多大な時間を要するものであることである。この理由により、種々の色およびパターンを有するじゅうたんを製造することが極めて高価であり得る。特定の色またはパターンに望まれる量が小さい場合において、縦糸を構成する費用は、パターンの形成を財政的に実行不可能にする程度に高くなり得る。
【０００３】
発明の概要
本発明の１つの観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成する段階を含む、前記方法を提供する。
【０００４】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、第１の群の糸により形成したよりも大きいフロアカバーの視覚可能な部分を形成する段階を含む、前記方法を提供する。
【０００５】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、第１の群の糸により形成したよりも実質的に大きいフロアカバーの視覚可能な部分を形成する段階を含む、前記方法を提供する。
【０００６】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの実質的にすべての視覚可能な部分を形成する段階を含む、前記方法を提供する。
【０００７】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成し、ここで第２の群の糸が、１ポンドあたり約２８８〜約１，７６０ヤードまたは、さらに狭く、１ポンドあたり約５７６〜約８３２ヤードの重量を有する段階を含む、前記方法を提供する。
【０００８】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成し、ここで第２の群の糸が、フロアカバーの合計重量の約８５％〜約９５％または、さらに狭く、フロアカバーの合計重量の約９２％を構成する段階を含む、前記方法を提供する。
【０００９】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成し、ここで第１の、および第２の群の糸を、１インチあたり約７５〜約１００本の縦糸の密度または、さらに狭く、１インチあたり約８５本の縦糸の密度で織る段階を含む、前記方法を提供する。
【００１０】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成し、ここで第１の、および第２の群の糸を、１インチあたり約２５〜約６５本の横糸の密度または、さらに狭く、１インチあたり約４０〜約５０本の横糸の密度で織る段階を含む、前記方法を提供する。
【００１１】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成し、ここで第１の、および第２の群の糸を、１分あたり約７５〜約２５０本の横糸の速度で織る段階を含む、前記方法を提供する。
【００１２】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成し、ここでフロアカバーが、１平方ヤードあたり約１．６５ポンド〜１平方ヤードあたり約３．０ポンドまたは、さらに狭く、１平方ヤードあたり約２．２５ポンドの重量を有する段階を含む、前記方法を提供する。
【００１３】
本発明の他の観点は、フロアカバーの製造方法であって、第１の群の糸を提供し、第２の群の糸を提供し、第１の群の糸を縦糸方向に、第２の群の糸を横糸方向に機械織りし、ここで第２の群の糸が、フロアカバーの視覚可能な部分の少なくとも実質的な部分を形成し、ここで第１の群の糸が、２０／２〜８０／２の綿番手を有し、または、さらに狭く、綿番手が４０／２である段階を含む、前記方法を提供する。
【００１４】
本発明の他の観点は、フロアカバーの製造方法であって、第１の群の糸を提供し、第２の群の糸を提供し、第１の群の糸を縦糸方向に、第２の群の糸を横糸方向に機械織りし、フロアカバーの少なくとも１つの縁部に縁取材を設け、ここで第２の群の糸が、フロアカバーの視覚可能な部分の少なくとも実質的な部分を形成する段階を含む、前記方法を提供する。
【００１５】
本発明の他の観点は、フロアカバーの製造方法であって、第１の群の糸を提供し、第２の群の糸を提供し、第１の群の糸を縦糸方向に、第２の群の糸を横糸方向に機械織りし、フロアカバーの少なくとも１つの表面に裏材料を設け、ここで第２の群の糸が、フロアカバーの視覚可能な部分の少なくとも実質的な部分を形成する段階を含む、前記方法を提供する。
【００１６】
本発明の尚他の観点は、フロアカバーの製造方法であって、１つの群の縦糸を提供し、第１の群の横糸を提供し、縦糸および第１の群の横糸を機械織りして、第１のフロアカバーまたはフロアカバー部分を形成し、横糸の少なくとも１つを置き換えて、第２の群の横糸を形成し、縦糸および第２の群の横糸を機械織りして、第２のフロアカバーまたはフロアカバー部分を形成する段階を含む、前記方法を提供する。
【００１７】
本発明の他の観点は、フロアカバーの製造方法を提供する。この方法は、フロアカバーの２つの部分を提供する段階を含み、各々は、横糸の群と共に織られた１つの群の縦糸を含み、各々は、耳端部を有する。それぞれの耳端部を切断して、それぞれの最上部の部分および底部の部分を形成する。次に、それぞれの底部の部分を除去し、それぞれの最上部の部分を、手縫いにより接合する。
【００１８】
本発明の他の観点は、フロアカバーを提供する。このフロアカバーは、フロアカバーにおいて用いるのに適する１つの群の縦糸および、フロアカバーにおいて用いるのに適する１つの群の横糸を含み、ここで、該横糸は、縦糸に垂直な方向で織られており、フロアカバーの視覚可能な部分の少なくとも実質的な部分を形成する。
【００１９】
本発明のこれらの観点および他の観点は、以下の詳細な説明および添付した特許請求の範囲から明らかである。
【００２０】
図面の簡単な説明
添付した図面は、縮尺通りに描写されていることを意図しない。明瞭のために、すべての成分を、すべての図面において標識し得るわけではない。図面において：
図１は、本発明の観点におけるフロアカバーの製造方法の１つの態様を例示する流れ図であり；
図２は、本発明の観点において製造されたフロアカバーの１つの態様の部分の断面図であり；
図３は、図２のフロアカバーの一部の斜視図であり；
図４は、本発明の観点において製造されたフロアカバーの第２の態様の部分の断面図であり；
図５は、図４のフロアカバーの一部の斜視図であり；
【００２１】
図６は、本発明の観点において製造されたフロアカバーの第３の態様の部分の断面図であり；
図７は、図６のフロアカバーの一部の斜視図であり；
図８は、本発明の観点において製造されたフロアカバーの第４の態様の部分の断面図であり；
図９は、図８のフロアカバーの一部の斜視図であり；
図１０は、本発明の観点におけるフロアカバーの製造方法の他の態様を例示する流れ図である。
【００２２】
詳細な説明
本発明は、以下の記載において述べるかまたは図面において例示する成分の構成および配置の詳細へのこの適用に限定されない。本発明は、他の態様および、種々の方法で実施するかまたは行うことが可能である。また、本明細書中で用いる語法および専門用語は、記載のみの目的のためであり、限定するものと考慮するべきではない。「含む(including)」、「含む(comprising)」、「有する(having)」、「含む(containing)」、「伴う(involving)」およびこれらの変化形は、以降に列挙する項目および等価なもの並びに追加の項目を包含することを意味する。
【００２３】
本発明は、着色されたかまたはパターンを付与されたフロアカバーを織る改善された方法に関する。本発明の１つの態様において、フロアカバーの色またはパターンを形成する糸を、横糸方向に織る。このような方法は、色またはパターンを構成する糸を縦糸方向から織る、機械織りの伝統的な方法とは、反対である。横糸上の色またはパターンを有するフロアカバーを織ることの利点には、色および／またはパターンを、パターンを構成する糸が縦糸方向に通じる方法よりもはるかに容易に変化させることができることがある。色を、慣用の方法と比較して容易かつ安価に変化させることができるという事実により、製造者が、過去に可能であったよりも広い範囲のフロアカバーが入手可能となり得る。このような態様の他の利点には、種々の色またはパターンを有するフロアカバーの大きい、および小さいバッチの迅速な、および効率的な製造を容易にすることにより、これらがまた、大量のフロアカバーを貯蔵する必要性を減少させ得、従って在庫費用が減少し、実質的な節約をもたらし得る。
【００２４】
本発明はまた、着色したかまたはパターンを付与されたフロアカバーの部分を接合する方法に関する。
【００２５】
本発明の１つの態様は、着色されたかまたはパターンを付与されたフロアカバーを織る方法を提供する。図１の段階５２〜５６で例示するこの方法５０は、第１の群の糸を縦糸方向に、第２の群の糸をほぼ垂直な横糸方向に織って、横糸が、フロアカバーの色またはパターンの少なくとも実質的な部分を形成するようにすることを含む。図１の段階５２〜６０において明らかなように、この態様により、色またはパターンを、横糸を構成する比較的少数の糸の１つまたは２つ以上を単に変化させることにより、変化させることが可能である。縦糸は、再構成する必要はない。
【００２６】
本発明の種々の態様において、横糸は、縦糸により形成したよりも大きいフロアカバーの視覚可能な部分を形成することができ、縦糸により形成したよりも実質的に大きいフロアカバーの視覚可能な部分を形成することができ、またはフロアカバーの実質的にすべての視覚可能な部分を形成することができる。「視覚可能な部分」は、フロアカバーを床または他の平坦な表面上に配置した際に、通常の使用のように家具またはすべての他の物品により覆われていない外見を呈し得るフロアカバーの部分を意味する。通常、視覚可能な部分は、縁取材などにより覆われた部分を除く、フロアカバーの最上部の表面である。種々の態様において、横糸は、フロアカバーの視覚可能な部分の少なくとも約１５％、２５％、５０％、７５％または９５％を構成することができ、このような百分率は、視覚可能な部分の固定された面積を選択し、視覚的、光学的、機械的、デジタルまたは他の手段により、横糸により占有された固定された面積の百分率を決定することにより、測定されるべきである。横糸で構成される視覚可能な部分の比率を増加させることにより、フロアカバーの外見を、一層容易に変化させることが可能であることが見出された。
【００２７】
横糸の群は、上記に記載したように、１種または２種以上の色であり得、変化する比率のフロアカバーの色またはパターンを含むことができる。横糸は、フロアカバーの色またはパターンを形成する糸および、フロアカバーの他の糸または部分を一緒に結合する主な目的を有する糸を含むことができる。
【００２８】
縦糸の群は、種々の糸および層を一緒に結合する作用を奏することができるバインダー糸並びに、厚さ、耐久性および重量を付与することができるスタッファー(stuffer)糸を含むことができる。少なくとも一部が完成した製品において視覚可能であり得るバインダー糸は、いくつかの態様において、明度において中間色である色、例えばオフホワイトまたは淡い茶色であり得る。他の態様において、バインダー糸は、明度において中間色ではない場合がある。記載したように、バインダー糸の色が、フロアカバーの全体的な外見に寄与し得る一方、これらの寄与は、一般的に、横糸の寄与よりも小さい。スタッファー糸の色は、これらが一般的には完成した製品において視覚可能ではないため、比較的重要ではない場合がある。
【００２９】
縦糸および横糸の組成は、本発明に対しては臨界的に重要ではなく、以下に記載する態様のすべてを、例えば天然の繊維、例えば紡毛糸および綿、合成材料、例えばレーヨン、ナイロン、アクリルおよびポリエステル、および／またはすべての他の好適な材料もしくは材料の組み合わせを含む、すべての好適なタイプの糸で構成することができる。糸は、すべての好適な、もしくは所望の色、組織または他の審美的な特性もしくは特性の組み合わせを有することができる。
【００３０】
本発明のフロアカバーを、工業的な織物織機、例えばLindauer Dornier GmbH of Lindau, Germanyにより製造されているもので織ることができる。しかし、本発明は、織機のすべての特定のブランド、タイプまたはモデルに限定されず、当業者に理解されるすべての好適な織機を用いることができる。
【００３１】
材料が、縦糸上の色で慣用的に織られている１つの理由は、着色された糸が、一般的に、他の糸よりも太いことであり、その理由は、部分的に、これらが、この外見を有する材料を提供することを意図するからである。着色された糸は、慣用の方式で横糸方向に機械的に織られた場合には、問題を生じることが予測される。その理由は、これらの太さにより、ビートアップ(beat up)の結果縦糸および／または横糸上での大量の張力が生じるからである。いくつかの場合において、張力の量は、縦糸が、完全に隠れるのを防止するのに十分であり得、かつ／または１つまたは２つ以上の縦糸の損傷を生じ得る。
【００３２】
増大した張力の問題に対する１つの解決方法は、本発明のフロアカバーを織る速度を低下させることであることが見出された。例えば、本発明のフロアカバーを織ることができる織機を、慣用的に縦糸上の色を伴って１分あたり約４００本の横糸の速度で運転することができる一方、本発明のいくつかの態様のフロアカバーを、これらの同一の織機で、しかし横糸上の色を伴って、１分あたり約７５〜約２５０本の横糸の速度で織ることができる。織機の速度を低下させることが、製造に、これらの織機で織られた慣用の材料についてよりも長い時間を要することを意味し得るが、上記した利点、即ち色および／またはパターンの変化における柔軟性が、すべての追加の製造時間より重要であり得る。
【００３３】
本発明の１つの態様において、フロアカバーを、比較的細いバインダーおよびスタッファー縦糸が、伝統的な横糸材料よりも太い横糸と共に織られるように、織る。材料の表面上で視覚可能なバインダー糸は、一般的に、色が均一である。結果は、伝統的な「針編みの刺繍」材料とは異ならずに、小さい正方形または矩形の格子で構成されている外見を有するフロアカバーである。スタッファー糸は、種々の太さおよび密度であって、適切な厚さ、耐久性および／または重量をフロアカバーに付与するようであってもよい。
【００３４】
図２は、本発明の例示的な「針編みの刺繍」のタイプのフロアカバーの断面の一部を示す。図２の断面は、横糸方向の断面であり、横糸を側面で、および縦糸を断面で示す。図２は、縫い目耳領域１０８と、最上部表面１０４および底部表面１０６を含む、フロアカバーの本体１０２を示す。
【００３５】
図２のフロアカバーは、３種のタイプの縦糸、一次バインダー１７０ａ〜ｃ、二次バインダー１８０ａ〜ｃおよびスタッファー１９０並びに６本の横糸、つまり「横(pick)」糸、を用いる。図２に示す特定の断面において、横糸１１０および１４０は、原則としてフロアカバーの最上部表面１０４上に位置し、横糸１２０および１５０は、原則としてフロアカバーの底部表面１０６上に位置する。残りの横糸１３０および１６０は、示したように、縦糸を一緒に結合させる作用を奏するバインダー横糸である。横糸は、各々、色が異なっていて、この態様のフロアカバーが、横糸上に６種の異なる色を有することを可能にすることができる。縦糸は、一般的には無色である一方、また着色されていてもよい。記載したように、縦糸に対して横糸に色を付与することにより、パターンのいくつかの、またはすべての色を、容易に、パターン自体を変化させることができるように、容易に変化させることができる。
【００３６】
図３は、図２のフロアカバーの最上部表面の一部の斜視図であり、ここで、糸間の空間は、明瞭の目的のために拡大されている。この図から、一次バインダー１７０ａ〜ｃは、フロアカバーの最上部表面上に主として位置し、二次バインダー１８０ａ〜ｃと組み合わされて、材料に針編みの刺繍状の外見を付与することが明らかである。この態様および他の例示した態様において、一次および二次バインダー１７０、１８０を、スタッファー１９０とは異なるビームから供給することができることに注意するべきである。
【００３７】
図３はまた、例えばフロアカバーに特定のパターンまたはデザインを付与するために用いることができる、種々の交錯を例示する。この態様において、横糸１１０ａ〜１６０ａにより定義される第１の縦糸状部分は、一次バインダー１７０ａ〜ｃの下を通過する箇所を除いて全体がフロアカバーの表面上に位置する、横糸１１０ａおよび１４０ａ、並びに二次バインダー１８０ａ〜ｂの上を通過する箇所を除いて全体がフロアカバーの表面の下に位置する、横糸１２０ａおよび１５０ａを有する。しかし、横糸１１０ｂ〜１６０ｂにより定義される第２の縦糸状部分において、横糸１１０ｂおよび１４０ｂは、二次バインダー１８０ａまたは１８０ｂの上を通過する箇所を除いて、その全体がフロアカバーの表面の下に位置し、一方横糸１２０ｂおよび１５０ｂは、一次バインダー１７０ａ〜ｃの下を通過する箇所を除いて、フロアカバーの表面上に位置する。しかし、この可変の交錯パターンは、単に例示的であり、本発明は、当業者により理解されるように、可変であるかまたは一定であるすべての数の他のパターンを予期することを理解するべきである。
【００３８】
図４は、８本の横糸を、一次バインダー２７０ａ〜ｃ、二次バインダー２８０ａ〜ｃおよびスタッファー２９０と組み合わせて用いる他の「針編みの刺繍」の態様の一部を例示する。従って、この態様のフロアカバーは、横糸上に８種の色を有することができる。図４に示す特定の断面において、横糸２１０および２４０は、原則としてフロアカバーの最上部表面１０４上に位置し、横糸２２０および２５０並びに横糸２６４および２６８は、原則としてフロアカバーの底部表面１０６上に位置する。残りの横糸２３０および２６０は、中立の縦糸を一緒に結合させる作用を奏するバインダー横糸である。
【００３９】
図５は、図４のフロアカバーの表面の一部の斜視図であり、ここで、糸間の空間は、明瞭のために拡大されている。この図から、図２のフロアカバーと同様に、一次バインダー２７０ａ〜ｃは、織物の表面上に主として位置し、二次バインダー２８０ａ〜ｃと組み合わせて、フロアカバーに針編みの刺繍状の外見を付与することが明らかである。図５はまた、可変の交錯パターンを例示する。横糸２１０ａ〜２６０ａにより定義される第１の縦糸状の部分において、横糸２１０ａおよび２４０ａは、一次バインダー２７０ａ〜ｃの下を通過する箇所を除いて全体がフロアカバーの表面上に位置し、一方横糸２２０ａ、２６４ａ、２５０ａおよび２６８ａは、二次バインダー２８０ａ〜ｃの上を通過する箇所を除いて全体がフロアカバーの表面の下に位置する。しかし、横糸２１０ｂ〜２６８ｂにより定義される第２の縦糸状部分において、横糸２１０ｂおよび２４０ｂは、二次バインダー２８０ａ〜ｂの上を通過する箇所を除いて全体がフロアカバーの表面の下に位置し、一方横糸２２０ｂおよび２５０ｂは、一次バインダー２７０ａ〜ｃの下を通過する箇所を除いてフロアカバーの表面上に位置する。しかし、本発明は、すべての数の他の可変であるかまたは可変ではないパターンを含むように、この可変の交錯パターンはまた、単に例示的である。
【００４０】
図６のフロアカバーは、第３の代表例の「針編みの刺繍」の構造であり、これは、１０本の横糸、これと組み合わせて一次バインダー３７０ａ〜ｃ、二次バインダー３８０ａ〜ｃおよびスタッファー３９０を用いる。従って、この態様のフロアカバーは、横糸上に１０種の色を有することができる。図６に示す特定の断面において、横糸３１０および３４０は、原則としてフロアカバーの最上部表面１０４上に位置し、横糸３２０、３６４、３６６、３５０、３６８および３６７は、原則としてフロアカバーの底部表面１０６上に位置する。残りの横糸３３０および３６０は、中立の縦糸を一緒に結合させる作用を奏するバインダー横糸である。
【００４１】
図７は、図６のフロアカバーの表面の一部の斜視図であり、ここで、糸間の空間は、明瞭のために拡大されている。この図から、図２および４のフロアカバーと同様に、一次バインダー３７０ａ〜ｃは、織物の表面上に主として位置し、二次バインダー３８０ａ〜ｃと組み合わせて、フロアカバーに針編みの刺繍状の外見を付与することが明らかである。図７はまた、図３および５と同様に、例示的な可変交錯パターンを示す。横糸３１０ａ〜３６０ａにより定義される第１の縦糸状の部分において、横糸３１０ａおよび３４０ａは、一次バインダー３７０ａ〜ｃの下を通過する箇所を除いて全体がフロアカバーの表面上に位置し、一方残りの横糸は、横糸３３０および３６０の場合において、一次バインダー３７０ａ〜ｃの上を、または残りの横糸の場合において、二次バインダー３８０ａ〜ｃの上を通過する箇所を除いて全体がフロアカバーの表面の下に位置する。しかし、横糸３１０ｂ〜３６０ｂにより定義される第２の縦糸状部分において、横糸３１０ａは、一次バインダー３７０ａと３７０ｃとの間で原則的にフロアカバーの表面上に位置し、横糸３４０ｂは、一次バインダー３７０ａと３７０ｂとの間で原則的に表面上に位置するが、両方は、主として他の方法で埋められる。
【００４２】
上記の図面が、最大で１０種の異なる横糸状の色を示す一方、既知の現在入手可能な商業的な織機により、横糸上に１２種までの異なる色が可能である。しかし、本発明は、すべての数の色が横糸方向から付与されることを意図するため、この量にも限定されない。
【００４３】
「針編みの刺繍」の態様の横糸は、１種または２種以上の色であってもよく、すべての所望の均一であるかまたは均一ではない大きさ、重量、組織または外見を有することができる。例えば、１つの態様において、種々の太さの横糸を用いて、種々の審美的な効果を達成することができる。「針編みの刺繍」の構造のいくつかの態様は、３／１８〜１／１１０（ウーステッド３／１．５４〜１／３．１；１ポンドあたり約２８８〜１，７６０ヤード）または４／３２〜２／６５（ウーステッド４／３．６〜２／３．７１；１ポンドあたり約５１２〜１，０４０ヤード）または３／３６〜２／５５（ウーステッド３／３．０９〜２／３．１４；１ポンドあたり約５７６〜８３２ヤード）の範囲内のフィラデルフィア(Philadelphia)またはブラッドフォード(Bradford)計数を有する横糸を用いることができる。
【００４４】
１つの好ましい態様において、フィラデルフィアまたはブラッドフォード計数は、３／４２（ウーステッド３／３．６；１ポンドあたり約６７２ヤード）である。他の好ましい態様において、横糸は、Ｎｍ７００（ウーステッド１／０．６２；１ポンドあたり３４８ヤード）、Ｔｅｘ  ２０００（ウーステッド１／０．４４；１ポンドあたり約２４９ヤード）および／または４／４ｃｃ（ウーステッド４／６．０；１ポンドあたり約８４０ヤード）であってもよい。これらの範囲内の、および／またはこれらのタイプの糸は、一般的に、所望の審美的な効果を付与するのに十分太く、一方同時に織機に過剰な張力を生じずに横糸方向から機械織りするのに十分細い。
【００４５】
「針編みの刺繍」の態様の縦糸はまた、すべての好適な均一な、または均一でない組織または外見を有することができるが、均一な格子の外見を呈するように、一般的に色が均一な縦糸を用いるのが好ましい。織物にこの色および組織を付与するように一般的に横糸よりも太い慣用の縦糸とは異なり、本発明のフロアカバーの表面の縦糸は細くて、可能な限り小さい外見を有し、かつ／または均一な格子の外見を呈するようであってもよい。特に、いくつかの針編みの刺繍の態様は、２０／２〜８０／２（１ポンドあたり約８，４００〜３３，６００ヤード）またはさらに狭く、３０／２〜６０／２（１ポンドあたり約１２，６００〜２５，２００ヤード）の範囲内の綿番手を有する縦糸を用いることができる。１つの好ましい針編みの刺繍の態様において、縦糸は、４０／２または１ポンドあたり約１６，８００ヤードの綿番手を有することができる。完成した針編みの刺繍のフロアカバーにおける１インチあたりの縦糸の数は、１インチあたり約６５〜約１１０本の範囲内またはさらに狭く、約７５〜約１００本の範囲内であってもよい。１つの好ましい態様において、フロアカバーを、１インチあたり約８５本の縦糸で織る。
【００４６】
本発明の他の態様において、顕著な縦糸状列またはうねを特徴とする「グロースポイント」構造が得られるように、比較的細いバインダー縦糸を一層太いスタッファー縦糸と組み合わせ、比較的太い横糸と共に織るようにして、フロアカバーを織る。
【００４７】
図８は、本発明の他の態様における「グロースポイント」フロアカバーの態様の一部を示す。図８のフロアカバーは、６本の横糸を用い、従って横糸上に６種の異なる色を有することができる。この態様は、表面糸４７０ａ〜ｃ、裏バインダー糸４８０ａ〜ｃおよびスタッファー糸４９０を含む、３種のタイプの縦糸を含む。このフロアカバーは、図２のフロアカバーと同一の数の着色された横糸を有するが、これは、極めて異なる外見を有する。バインダー横糸４３０および４６０は、共に隣接する表面糸（例えば４７０ａ、４７０ｂ）上を、および間にある裏バインダー（例えば４８０ａ）の下を、共に通過し、ポケット（例えば４８５ａ）を形成し、これは、スタッファー糸４９０で満たされた際に、縦糸方向に通じる顕著なうねを形成する。うねの大きさは、一層軽い、または一層重いスタッファー糸４９０を用いることにより、制御することができる。軽い着色された表面縦糸４７０を、いくつかの態様において用いて、一層暗い表面横糸とのコントラストを付与し、列の視覚的な効果を増強することができる。
【００４８】
図８のフロアカバーの一部は、図９における斜視図において明らかであり、これはまた、この例示的な態様の表面が、横糸４１０ａ〜４６０ａにより定義された一層低い部分において、横糸４１０ａおよび４４０ａにより支配され、一方異なるパターンの交錯により、糸４２０ｂおよび４５０ｂが、横糸４１０ｂ〜４６０ｂにより定義された第２の部分における表面に誘導されることを示す。異なる態様において、異なる色の表面縦糸を用いて、異なる効果を付与することができる。
【００４９】
針編みの刺繍の構成におけるように、「グロースポイント」の態様の縦糸は、種々の大きさ、組織、外見および／または色であってもよく、種々の特徴および／または外見の縦糸を用いて、種々の審美的な、または物理的な効果を達成することができる。「グロースポイント」の構造のいくつかの態様は、３／１８〜１／１１０（ウーステッド３／１．５４〜１／３．１；１ポンドあたり約２８８〜１，７６０ヤード）または４／３２〜２／６５（ウーステッド４／３．６〜２／３．７１；１ポンドあたり約５１２〜１，０４０ヤード）または３／３６〜２／５５（ウーステッド３／３．０９〜２／３．１４；１ポンドあたり約５７６〜８３２ヤード）の範囲内のフィラデルフィアまたはブラッドフォード計数を有する横糸を用いることができる。
【００５０】
１つの好ましい態様において、フィラデルフィアまたはブラッドフォード計数は、３／４２（ウーステッド３／３．６；１ポンドあたり約６７２ヤード）である。他の好ましい態様において、横糸は、Ｎｍ７００（ウーステッド１／０．６２；１ポンドあたり３４８ヤード）、Ｔｅｘ  ２０００（ウーステッド１／０．４４；１ポンドあたり約２４９ヤード）および／または４／４ｃｃ（ウーステッド４／６．０；１ポンドあたり約８４０ヤード）であってもよい。これらのタイプの、および／またはこれらの範囲内の糸は、一般的に、所望の審美的な効果を付与するのに十分太く、一方および同時に織機に過剰な張力を生じずに横糸方向から機械織りするのに十分細い。
【００５１】
針編みの刺繍の配置の縦糸と同様に、グロースポイント構成において用いる表面縦糸は、可能な限り小さい外見であるように、細くてもよい。縦糸は、４／４〜１０／２（１ポンドあたり約８４０〜４，２００ヤード）またはさらに狭く、３／２〜８／２（１ポンドあたり約１，２６０〜３，３６０ヤード）の範囲内の綿番手を有することができる。１つの好ましい「グロースポイント」の態様において、縦糸は、８／４または１ポンドあたり約１，６８０ヤードの綿番手を有することができる。完成した「グロースポイント」のフロアカバーは、１インチあたり約２０〜約４０本の範囲内の縦糸を有することができ、１つの特定の態様において、１インチあたり約２８本の縦糸を有することができる。
【００５２】
いくつかの態様の重い横糸により、同一の織機で織られた慣用の材料よりも、１インチあたり少ない横糸を有するフロアカバーを得ることができる。例えば、針編みの刺繍およびグロースポイントの態様を、１インチあたり約２５〜約６５本の横糸、および好ましくは１インチあたり約４０〜約５０本の横糸で織ることができる。
【００５３】
横糸において一層重い糸で織る結果、本発明のフロアカバーはまた、同一のタイプの織機で織られた他の材料よりも重い。１つの態様において、例えば、本発明により織られたフロアカバーは、１平方ヤードあたり約２〜約３ポンドの重量であり、１つの特定の態様において、フロアカバーは、１平方ヤードあたり約２．４ポンドの重量である。対照的に、典型的にこれらのタイプの織機で織られたタイプの材料は、一般的に、１平方ヤードあたり２ポンドよりも小さい範囲内の重量である。さらに、横糸が慣用よりも重いため、本発明に従って製造されたフロアカバーはまた、横糸からの糸で構成されたこれらの合計の重量の一層大きい比率を有する。１つの態様において、例えば、横糸は、材料の合計重量の約８５〜約９５％を構成し、１つの好ましい態様において、横糸は、材料の合計重量の約９２％を構成する。
【００５４】
本発明の他の観点において、裏材料を、フロアカバーの少なくとも一方の側に隣接させて配置することができる。裏材料の利点は、フロアカバーに付与された特別の強度および耐久性を含み、特にここで、これは、多くの機械的応力が加えられる用途を意図する。種々の態様において、裏材料を、すべての好適な天然の、または合成の材料で構成することができる。１つの態様において、裏材料は、プラスチックのタイプであってもよい。裏材料を、当業者により容易に理解されるように、すべての慣用の方式で設けることができる。
【００５５】
裏材料を有するかまたは有しない、本発明のフロアカバーを、また、すべての所望の寸法または形状に切断することができる。いくつかの態様において、フロアカバーを、広い織機で織って、広い連続的な織物のシートの製造を可能にすることができる。この織機により製造された材料のシートを、すべての所望の寸法を有するすべての数の所望の形状に切断することができる。このようなプロセスの使用により、フロアカバーの製造を加速することができ、かつ／またはパターンが同一であるが大きさが異なるフロアカバーについての多くの注文への製造を容易にすることができる。
【００５６】
いくつかの態様において、縁取材を、フロアカバーの１つまたは２つ以上の端部の全部または一部に沿って配置して、端部をさらに強化し、ほつれの可能性を低減することができる。フロアカバーに縫うこと、接着またはすべての他の好適な手段により接着することができる、このような縁取材は、縦糸および／または横糸のいくらかまたは全部の末端を被覆して、ほつれを防止することができ、特に布、紙、プラスチックまたは革を含むすべての好適な１種または２種以上の材料を含むことができる。フロアカバーが円形である場合には、縁取材を、外周に沿って設けることができる。
【００５７】
本発明の他の観点は、織ったフロアカバーの部分を接合する方法を提供する。このような部分を、例えば、織機の動作的な幅よりも広いフロアカバーを製造するのが望ましい場合において、例えば壁から壁への敷物類の場合において用いる。
【００５８】
図１０における方法５００の段階５５０〜５６０として一般的に例示した、このような造作方法の１つの態様において、少なくとも２つの部分のフロアカバー材料を提供し、各々は、縦糸方向に織られた第１の群の糸および横糸方向に織られた第２の群の糸を含む。フロアカバーの各々の部分は、織るプロセスの副産物としての少なくとも１つの縦糸状の側に沿って通じる耳端部を有する。２つの部分を、これらの縦糸が平行であり、接合されるべき側のそれぞれの耳端部が互いに隣接するように、配列させる。隣接する耳端部を、これらの外側端部に沿って薄切りにし、例えば図２において明らかなように、上方の耳部１０９ａおよび下方の耳部１０９ｂを得る。次に、それぞれの下方の耳部１０９ｂを、フロアカバー部分の本体１０４の下に折って戻すか、または単に切断して除去し、次に上方の耳部１０９ａを、慣用の方式で一緒に縫って、２つの部分を接合する。
【００５９】
この造作方法の結果、本発明のフロアカバーを、織機の動作的な幅よりも大きいフロアカバーが必要である状況において用いることができ、上記で記載したように、横糸上での色で織る本発明の方法と関連する利点を、広範囲の用途、例えば壁から壁への敷物類に拡張することができる。従って、横糸上での色で織ることと上記した造作方法との組み合わせにより、広範囲の大きい着色された、およびパターン付与されたフロアカバー、例えば壁から壁へのカーペットを、数千のクリールを変化させることに関連する費用を伴わずに、および大きい在庫を維持する費用を伴わずに、生産し、販売することが可能になり得る。
【００６０】
本発明の少なくとも１つの態様のいくつかの観点が本明細書に記載されており、種々の変更、修正および改良が、当業者に容易になし得ることを理解するべきである。このような変更、修正および改良は、この開示の一部であることを意図し、本発明の精神および範囲内であることを意図する。従って、前述の記載および図面は、例示的のみである。
【図面の簡単な説明】
【００６１】
【図１】本発明の観点におけるフロアカバーの製造方法の１つの態様を例示する流れ図である。
【図２】本発明の観点において製造されたフロアカバーの１つの態様の部分の断面図である。
【図３】図２のフロアカバーの一部の斜視図である。
【図４】本発明の観点において製造されたフロアカバーの第２の態様の部分の断面図である。
【図５】図４のフロアカバーの一部の斜視図である。
【００６２】
【図６】本発明の観点において製造されたフロアカバーの第３の態様の部分の断面図である。
【図７】図６のフロアカバーの一部の斜視図である。
【図８】本発明の観点において製造されたフロアカバーの第４の態様の部分の断面図である。
【図９】図８のフロアカバーの一部の斜視図である。
【図１０】本発明の観点におけるフロアカバーの製造方法の他の態様を例示する流れ図である。
【図１】
2006518423.tif 000003
【図２】
2006518423.tif 000004
【図３】
2006518423.tif 000005
【図４】
2006518423.tif 000006
【図５】
2006518423.tif 000007
【図６】
2006518423.tif 000008
【図７】
2006518423.tif 000009
【図８】
2006518423.tif 000010
【図９】
2006518423.tif 000011
【図１０】
2006518423.tif 000012
【国際調査報告】
2006518423.tif 000013
2006518423.tif 000014
2006518423.tif 000015
2006518423.tif 000016
2006518423.tif 000017